(57)【要約】【課題】従来、バネ力で挟持板に挟持付勢を与える構造ではクランプ力が不正確でかつ力不足になりクランプ中の脱落等の不都合を生起せず、また、柔らかなサンドイッチの過度の圧迫による損傷を生起しないサンドイッチ包装袋の封緘装置を提供するものである。【解決手段】中空三角巾状のサンドイッチ包装袋に予め収納した未封緘サンドイッチを直線的に搬送するための未封緘サンドイッチ搬送路と、該搬送路の終端に連結し該搬送路から受け継いだ未封緘のサンドイッチを周回しながら段階的に封緘作業を可能とする周回封緘装置とよりなり、しかも、周回封緘装置は、未封緘サンドイッチを左右区画板間に挿入して区画保持するための取込み機構と、サンドイッチ包装袋の開口周縁部に突出形成した各折返し代を折畳む折畳み機構と、折畳み機構で折り畳んだ折返し代を貼付紙でシールする封緘機構とをそれぞれ段階的に作動するように回転自在のターンテーブル周縁に配設して構成したことを特徴とする。【選択図】図１
2015224057.tif 000002
【特許請求の範囲】
【請求項１】
中空三角巾状のサンドイッチ包装袋に予め収納した未封緘サンドイッチを直線的に搬送するための未封緘サンドイッチ搬送路と、該搬送路の終端に連結し該搬送路から受け継いだ未封緘のサンドイッチを周回しながら段階的に封緘作業を可能とする周回封緘装置とよりなり、
しかも、周回封緘装置は、未封緘サンドイッチを左右区画板間に挿入して区画保持するための取込み機構と、サンドイッチ包装袋の開口周縁部に突出形成した各折返し代を折畳む折畳み機構と、折畳み機構で折り畳んだ折返し代を貼付紙でシールする封緘機構とをそれぞれ段階的に作動するように回転自在のターンテーブル周縁に配設して構成した
ことを特徴とするサンドイッチ包装袋の封緘装置。
【請求項２】
取込み機構は、周回封緘装置に至る直前に未封緘サンドイッチの包装袋を左右挟持板により定置両側面から挟持して左右区画板間に挿入し、その後、左右挟持板を解除してターンテーブル上の左右区画板間にサンドイッチを未封緘の状態で取込むように構成すると共に、左右挟持板の間隔は、予め設定した複数の間隔の中より選択可能に制御する間隔制御装置により調整するように構成した
ことを特徴とする請求項１に記載のサンドイッチ包装袋の封緘装置。
【請求項３】
折畳み機構は、サンドイッチ包装袋の開口部を下方に伸延して形成した下方折返し代を上方折畳みプレートの上昇作動により上方に折畳む上下折畳み機構と、サンドイッチ包装袋の開口部を左右に伸延して形成した左右折返し代を左右シャッタプレートの閉塞作動により左右に折畳む左右折畳み機構とよりなる
ことを特徴とする請求項１又は２に記載のサンドイッチ包装袋の封緘装置。
【請求項４】
未封緘サンドイッチの定置垂直面において折畳む各種折畳み部材としての上方折畳みプレート及び左右シャッタプレートは回転自在のターンテーブルの周縁部の作動位置に出没自在に配設した
ことを特徴とする請求項１〜３のいずれか１項に記載のサンドイッチ包装袋の封緘装置。
【請求項５】
折畳み機構における左右区画板は、サンドイッチの厚みに対応して間隔調整手段により間隔の調整が可能に構成してなる
ことを特徴とする請求項１〜４のいずれか１項に記載のサンドイッチ包装袋の封緘装置。
【請求項６】
間隔調整手段は、ターンテーブルの軸に設けた雄ネジに螺合し昇降自在に構成した昇降ブラケットの上端に昇降円盤を連設し、昇降円盤の昇降作動と基端を互いに枢支した縦型の二又状の開閉アームの枢支部の開閉作動とを連動すべく構成し、二又状の開閉アームのそれぞれに左右区画板を連設することにより、昇降円盤の昇降作動に伴い、二又状開閉アームが枢支部を中心に開閉して、左右区画板の開閉間隔の位置調整を可能とした
ことを特徴とする請求項１〜５のいずれか１項に記載のサンドイッチ包装袋の封緘装置。
【発明の詳細な説明】
【技術分野】
【０００１】
この発明は、直角三角形に形成したサンドイッチを、中空三角巾状の樹脂フィルム包装袋中に予め収納した形態から、中空三角巾状の包装袋の開口部を封緘するまでの作業を自動的に行うことができるサンドイッチ包装袋の封緘装置に関する。
【背景技術】
【０００２】
従来、サンドイッチは全体形状を直角三角形に形成しており、これを透明な樹脂フィルムで自動的に包装しており、かかる装置については、各種の機構のものが開発されている。
基本的には、予め中空三角巾状に形成した包装袋中に直角三角形のサンドイッチを定置垂直面が開口部に位置するように収納し、中空三角巾状の包装袋開口部は開放されたままの形態で自動封緘工程に搬送され、包装袋の開口部周縁に形成した張出し状の折返し代を上下及び左右方向から折畳んで封緘するという手順を基本な構成としている。
例えば、特許文献１から４等に示すように、サンドイッチを包装袋中に収納した後に包装袋の開口部を予め開閉作動する拡開片により押し広げて包装袋の開口周縁部に張出した折返し代を形成し、これを折返し用プレートによって上下や左右方向から内方向へ折畳んでシールし封緘するように構成している。
そのために、電動モータ等の駆動源に連動連設したリンク機構や連動機構を介して折返し用プレート等の封緘作動するアクチュエータを多種多様に作動させて、自動的な流れ作業によってサンドイッチ封緘作業を効率よく行うように構成している。
また、開口部開放の包装サンドイッチを挟持して封緘処理するテーブルに移動する際に包装サンドイッチを挟持する機構に挟持力を保持するためのスプリング等の付勢機構を介在している。
【先行技術文献】
【特許文献】
【０００３】
【特許文献１】特許第４３５５９４６号公報
【特許文献２】特許第４３５５９５１号公報
【特許文献３】特許第４３９２５３６号公報
【特許文献４】特開２００６−２１３３９４号公報
【発明の概要】
【発明が解決しようとする課題】
【０００４】
ところが、これらのサンドイッチ包装封緘作業用の装置は、作業の流れ工程を直線的に構成しているのが常である。
即ち、包装袋のシール封緘に至るまで、単一で個別の封緘作動を行う機構を直線的に並列して順次封緘作業をこなしていく形態や、一定個所に集合設置した各種機構をサンドイッチが通過する中途で一括して封緘作業を行う形態や、特定位置にサンドイッチを滞留させて徐々にその周辺より折り曲げ部材を作動させてシール封緘作業を行う形態等種々の形態から構成されているものがある。
従って、包装サンドイッチを直線方向に搬送しながら封緘作業を行う機構とした場合を例にとると、作業スペースが広範囲となって不利であると共に、作業者の目視個所が散在するために集中して各種機構の監視が困難となり、更には、オートメーション化による増産をはかる際に構造的に機構架台が長くなって連動部材相互の連結機構も長尺化し、更には、部材の共用化も困難となるなどの欠点を有していた。
更には、サンドイッチをターンテーブルで周回しながら一個所で段階的に集中して封緘作業を行うように構成した装置にあっては、折返し代の正確な折り曲げ作業を行うために複雑なアクチュエータの構造を構成しなければならず、従って、簡単な機構で効率よく行える構造ではなく、このような複雑化した装置となるため、最終の封緘形態において包装袋に弛緩部分が生起して袋中の空気含有量が増大し内収納物の日持ちが低下したり、また外観的に商品価値を損なう等の欠点を有していた。
また、特に未封緘サンドイッチは、折返し代を折畳んだり、封緘する工程に移行するためには、予め未封緘サンドイッチを左右区画板に挿入して定置状態とすることが要求される。
そのために、左右区画板の間に未封緘サンドイッチを挿入する際に移送されてきたサンドイッチを予め左右挟持板で挟持しているが、この挟持機構はスプリングを介して左右挟持を挟圧付勢しているものが多い。
かかる挟圧付勢の構造は簡単な構造で未封緘サンドイッチを容易に挟持しやすいが、挟圧付勢力は予め一定のスプリング弾性係数で規制されているため、未封緘サンドイッチの各種の厚みに正確に対応できない。
すなわち、厚みが大のサンドイッチの場合は過挟持力が付与されるため、サンドイッチの商品価値を損うおそれがあり、また一たん左右区画板間に挿入したとしても、左右挟持板を弛緩解除する際に円滑に左右が弛緩して退去作動しにくいおそれがあり、他方厚みが薄いサンドイッチの場合は挟持力が不足して挟持姿勢が移行作業中に変化したり、落下したりして正確な位置に挟持移行作業が行えない場合がある。
また、上記した挟圧付勢力を付与した左右挟持板を用いるかわりに、左右区画板間に未封緘サンドイッチを移送する手段としてベルト搬送を用いベルト終端を左右区画板間に臨ませて未封緘サンドイッチを左右区画板間に搬入定置する構造もあるが、定置する位置が正確でなく、個々のサンドイッチによって微妙な定置差を生じ次工程での折返し代の折畳み作業や封緘作業に支障を生起するおそれがあった。
この理は、未封緘サンドイッチを押出し機構によって左右区画板間に押出し定置する構造にもあてはまることであった。
また、一旦サンドイッチを左右区画板に搬入しても、左右区画板の間隔がサンドイッチの厚みに対応していないとその区画機能に弛緩を生起し、その後の折返し代の折畳み工程や封緘工程に支障を生起するおそれがあった。
【課題を解決するための手段】
【０００５】
この発明は、中空三角巾状のサンドイッチ包装袋に予め収納した未封緘サンドイッチを直線的に搬送するための未封緘サンドイッチ搬送路と、該搬送路の終端に連結し該搬送路から受け継いだ未封緘のサンドイッチを周回しながら段階的に封緘作業を可能とする周回封緘装置とよりなり、しかも、周回封緘装置は、未封緘サンドイッチを左右区画板間に挿入して区画保持するための取込み機構と、サンドイッチ包装袋の開口周縁部に突出形成した各折返し代を折畳む折畳み機構と、折畳み機構で折り畳んだ折返し代を貼付紙でシールする封緘機構とをそれぞれ段階的に作動するように回転自在のターンテーブル周縁に配設して構成したことを特徴とするサンドイッチ包装袋の封緘装置を提供せんとするものである。
【０００６】
また、取込み機構は、周回封緘装置に至る直前に未封緘サンドイッチの包装袋を左右挟持板により定置両側面から挟持して左右区画板間に挿入し、その後、左右挟持板を解除してターンテーブル上の左右区画板間にサンドイッチを未封緘の状態で取込むように構成すると共に、左右挟持板の間隔は、予め設定した複数の間隔の中より選択可能に制御する間隔制御装置により調整するように構成したことにも特徴を有する。
【０００７】
また、折畳み機構は、サンドイッチ包装袋の開口部を下方に伸延して形成した下方折返し代を上方折畳みプレートの上昇作動により上方に折畳む上下折畳み機構と、サンドイッチ包装袋の開口部を左右に伸延して形成した左右折返し代を左右シャッタプレートの閉塞作動により左右に折畳む左右折畳み機構とよりなることにも特徴を有する。
【０００８】
また、未封緘サンドイッチの定置垂直面において折畳む各種折畳み部材としての上方折畳みプレート及び左右シャッタプレートは回転自在のターンテーブルの周縁部の作動位置に出没自在に配設したことにも特徴を有する。
【０００９】
また、折畳み機構における左右区画板は、サンドイッチの厚みに対応して間隔調整手段により間隔の調整が可能に構成してなることにも特徴を有する。
【００１０】
また、間隔調整手段は、ターンテーブルの軸に設けた雄ネジに螺合し昇降自在に構成した昇降ブラケットの上端に昇降円盤を連設し、昇降円盤の昇降作動と基端を互いに枢支した縦型の二又状の開閉アームの枢支部の開閉作動とを連動すべく構成し、二又状の開閉アームのそれぞれに左右区画板を連設することにより、昇降円盤の昇降作動に伴い、二又状開閉アームが枢支部を中心に開閉して、左右区画板の開閉間隔の位置調整を可能としたことにも特徴を有する。
【発明の効果】
【００１１】
この発明の効果は次の通りである。
請求項１の発明は、中空三角巾状のサンドイッチ包装袋に予め収納した未封緘サンドイッチを直線的に搬送するための未封緘サンドイッチ搬送路と、該搬送路の終端に連結し該搬送路から受け継いだ未封緘のサンドイッチを周回しながら段階的に封緘作業を可能とする周回封緘装置とよりなり、しかも、周回封緘装置は、未封緘サンドイッチを左右区画板間に挿入して区画保持するための取り込み機構と、サンドイッチ包装袋の開口周縁部に突出形成した各折返し代を折畳む折畳み機構と、折畳み機構で折り畳んだ折返し代を貼付紙でシールする封緘機構とをそれぞれ段階的に作動するように回転自在のターンテーブル周縁に配設して構成したことを特徴とするサンドイッチ包装袋の封緘装置としたために、封緘作業の主体は、周回封緘装置により行うために段階的封緘機構を配設しても長尺の装置とならず定置に集約して封緘機構が構成可能となり、視覚的監視もしやすく、作業スペースも大きくとる必要がなく、しかも、封緘のための各段階的機構はそれぞれ正確に作動しやすい機構に構成されているため、最終段階で完成した封緘形態はフィルム包装袋中に正確にかつ見栄えの良い状態で収納封止され商品価値を向上することができる効果がある。
【００１２】
請求項２の発明によれば、取込み機構を左右挟持板とその外側方の左右区画板との二重の板体で構成したので、正確に未封緘のサンドイッチを左右区画板間にサンドイッチを傷めない状態で配置し、次の封緘作業が行いやすい予備状態とすることができる効果がある。
【００１３】
請求項３の発明によれば、折畳み機構は、サンドイッチ包装袋の開口部を下方に伸延して形成した下方折返し代を上方折畳みプレートの上昇作動により上方に折畳む上下折畳み機構と、サンドイッチ包装袋の開口部を左右に伸延して形成した左右折返し代を左右シャッタプレートの閉塞作動により左右に折畳む左右折畳み機構とよりなることとしたことにより、昇降と左右開閉作動を行うことができ、上下及び左右折畳み機構が正確かつ迅速に折返し代の折曲を行うことができ、封緘サンドイッチの外観上の商品価値を向上できる効果がある。
特に、左右挟持板の間隔は、予め複数個の間隔を設定して間隔制御装置によりその複数個の間隔よりサンドイッチに最適の間隔を選択することができるので的確にサンドイッチを左右区画板間に移送定置することができ、またサンドイッチの形状損傷も阻止することができる効果がある。
【００１４】
請求項４の発明によれば、未封緘サンドイッチの定置垂直面において折畳む各種折畳み部材としての上方折畳みプレート及び左右シャッタプレートは、回転自在のターンテーブルの周縁部に出没自在に配設して構成したことにより、通常は埋没状態であるため不使用の封緘部は、その上手側における折返し代の折曲封緘作業に支障とならず、お互いの作業時に干渉し合うことがなく、迅速かつ正確な封緘作業が行える効果がある。
【００１５】
請求項５の発明によれば、折畳み機構における左右区画板は、サンドイッチの厚みに対応して間隔調整手段により間隔の調整が可能に構成したことにより、取込み機構でサンドイッチの厚みに応じて左右区画板の微調整が可能となり、次工程での段階的折曲げ作業を正確に行え、封緘後に包装袋にだぶつきや変形を生起せず、サンドイッチの商品外観の価値を向上できる効果がある。
【００１６】
請求項６の発明によれば、間隔調整手段は、ターンテーブルの軸に設けた雄ネジに螺合し昇降自在に構成した昇降ブラケットの上端に昇降円盤を連設し、昇降円盤の昇降作動と基端を枢支した二又状の開閉アームの枢支部の開閉作動とを連動すべく構成し、二又状の開閉アーム先端のそれぞれに左右区画板を連設することにより、昇降円盤の昇降作動に伴い、二又状の開閉アームが枢支部を中心に開閉して、左右区画板の開閉間隔を調整可能に構成したことにより、左右区画板の微調整をターンテーブルの軸を中心にして構成した機構により行うことができ、封緘装置の全体の中に組み込むため、特に、外部に特別の左右区画板のための開閉間隔機構を付設する必要がなく、封緘装置全体を可及的にコンパクトにまとめることができる効果がある。
【図面の簡単な説明】
【００１７】
【図１】サンドイッチ包装袋の封緘装置を示す全体斜視図。
【図２】サンドイッチ包装袋の封緘装置を示す全体平面図。
【図３】封緘装置の各ステージを示す平面図。
【図４】未封緘サンドイッチ搬送路から第１ステージへの動作を示す斜視図。
【図５】挟持板作動機構を示す断面図。
【図６】上下折畳み機構の動作状態を示す平面図。
【図７】（ａ）左右折畳み機構を示す斜視図。（ｂ）図７（ａ）の背面図。
【図８】左右折畳み機構の動作状態を示す平面図。
【図９】封緘機構を示す斜視図。
【図１０】封緘機構を示す側面図。
【図１１】封緘機構の動作状態を示す側面図。
【図１２】（ａ）押出し機構を示す斜視図。（ｂ）押出し機構の作動機構を示す斜視図。
【図１３】サンドイッチ支持基体フレームを示す斜視図。
【図１４】ターンテーブルを示す平面図。
【図１５】サンドイッチ支持基体フレームの動作を示す平面図。
【図１６】左右区画板間の間隔調整機構を示す断面図
【図１７】上方折畳みプレートとスロープレールを示す斜視図。
【図１８】ターンテーブルと上方折畳みプレートを示す斜視図。
【図１９】上方折畳みプレートの動作状態を示す側面図
【図２０】上方折畳みプレートの作動機構を示す側面図。
【発明を実施するための形態】
【００１８】
この発明の主要な実施例は次の通りである。
すなわち、この発明は、中空三角巾状のサンドイッチ包装袋に予め収納した未封緘サンドイッチを直線的に搬送するための未封緘サンドイッチ搬送路と、該搬送路の終端に連結し該搬送路から受け継いだ未封緘のサンドイッチを周回しながら段階的に封緘作業を可能とする周回封緘装置とよりなり、しかも、周回封緘装置は、未封緘サンドイッチを左右区画板間に挿入して区画保持するための取り込み機構と、サンドイッチ包装袋の開口周縁部に突出形成した各折返し代を折畳む折畳み機構と、折畳み機構で折り畳んだ折返し代を貼付紙でシールする封緘機構とをそれぞれ段階的に作動するように回転自在のターンテーブル周縁に配設して構成したことを特徴とするサンドイッチ包装袋の封緘装置を提供せんとするものである。
【００１９】
また、取込み機構は、周回封緘装置に至る直前に未封緘サンドイッチの包装袋を左右挟持板により定置両側面から挟持して左右区画板間に挿入し、その後、左右挟持板を解除してターンテーブル上の左右区画板間にサンドイッチを未封緘の状態で取込むように構成すると共に、左右挟持板の間隔は、予め設定した複数の間隔の中より選択可能に制御する間隔制御装置により調整するように構成したことにも特徴を有する。
【００２０】
また、折畳み機構は、サンドイッチ包装袋の開口部を下方に伸延して形成した下方折返し代を上方折畳みプレートの上昇作動により上方に折畳む上下折畳み機構と、サンドイッチ包装袋の開口部を左右に伸延して形成した左右折返し代を左右シャッタプレートの閉塞作動により左右に折畳む左右折畳み機構とよりなることにも特徴を有する。
【００２１】
また、未封緘サンドイッチの定置垂直面において折畳む各種折畳み部材としての上方折畳みプレート及び左右シャッタプレートは回転自在のターンテーブルの周縁部に出没自在に配設して構成したことにも特徴を有する。
【００２２】
また、折畳み機構における左右区画板は、サンドイッチの厚みに対応して間隔調整手段により間隔の調整が可能に構成してなることにも特徴を有する。
【００２３】
また、間隔調整手段は、前述の通り、ターンテーブルの軸に設けた雄ネジに螺合し昇降自在に構成した昇降ブラケットの上端に昇降円盤を連設し、昇降円盤の昇降作動と基端を互いに枢支した縦型の二又状の開閉アームの枢支部の開閉作動とを連動すべく構成し、二又状の開閉アームのそれぞれに左右区画板を連設することにより、昇降円盤の昇降作動に伴い、二又状開閉アームが昇降して枢支部を中心に開閉して、左右区画板の開閉間隔の位置調整を可能としたことにも特徴を有する。
【００２４】
以下、かかる実施例を図面に基づき詳細に説明する。
本発明のサンドイッチ包装袋の封緘装置Ｋは次の各構成よりなる。
すなわち、概括的には、図１に示すように、中空三角巾状のフィルム製のサンドイッチ包装袋ｍに予め収納した未封緘サンドイッチｎを直線的に搬送するための未封緘サンドイッチ搬送路Ａと該搬送路の終端に連結し該搬送路から受け継いだ未封緘サンドイッチｎを回転自在のターンテーブルＢ周縁に配設して周回しながら段階的に封緘作業を可能とする周回封緘装置Ｍとよりなる。
【００２５】
そして、周回封緘装置Ｍは、回転自在のターンテーブルＢ周縁に配設した以下の各種機構から構成されている。
【００２６】
すなわち、未封緘サンドイッチｎを左右区画板１,１’間に挿入して区画保持するための取込み機構ａと、サンドイッチ包装袋ｍの開口周縁部ｍ’に突出形成した折返し代ｍ２，ｍ３，ｍ４，ｍ５を各種折畳み部材で折畳む折畳み機構ｂと、折畳み機構ｂで折り畳んだ折返し代ｍ２，ｍ３，ｍ４、ｍ５を貼付紙Ｐでシールする封緘機構ｃと、封緘した包装サンドイッチをターンテーブルＢ外方に押出す押出し機構ｄとよりなる。
【００２７】
図３に示すように、回転自在のターンテーブルＢの回動範囲の全周３６０度は、８等分して各８等分したスペースを第１から第８までのステージＹ１，Ｙ２・・・Ｙ８とし、各ステージに各種機構ａ，ｂ，ｃ，ｄが配設されている。
【００２８】
すなわち、各ステージのスペースに周回封緘装置Ｍを構成する各種機構ａ，ｂ，ｃ，ｄが順番に配設されている。
【００２９】
図３に示すように、第１ステージＹ１には取込み機構ａが設けられており、第２ステージＹ２には、上下方折畳み機構ｂ１が設けられており、第３ステージＹ３には、左右折畳み機構ｂ２が設けられており、第４ステージＹ４には、折曲して重なった折返し代ｍ２，ｍ３，ｍ４，ｍ５を貼付紙Ｐでシールする封緘機構ｃが設けられており、第５ステージＹ５には、封緘終了した包装サンドイッチをターンテーブルＢ外に押出す押出し機構ｄが設けられており、第６ステージＹ６から第８ステージＹ８までは、周回封緘装置Ｍを構成する機構は何ら設けられておらず、封緘に関連する作動を行わない次工程までの待期のためのステージである。
【００３０】
以上のような各ステージＹ１〜Ｙ８に対応するターンテーブルＢの周縁部には、共通して図４に示すサンドイッチ支持基体フレームＳが配設されており、このサンドイッチ支持基体フレームＳは、後述するように、一対の左右区画板１，１’とその内部上方に配設した傾斜受板２１とより構成されている。そして、第１ステージＹ１において、左右区画板１，１’と傾斜受板２１との間に挿入された未封緘サンドイッチｎは、各ステージを周回する間に各ステージに配設された各種機構ａ，ｂ，ｃにより封緘されて、最終的に押出し機構ｄによりターンテーブルＢ外に押出されて封緘作業が完了する。
【００３１】
以下各機構等について図面を参照しながら詳細に説明する。
（１）未封緘サンドイッチ搬送路Ａについて
図１に示すように、封緘のための各種機構を周縁に配設したターンテーブルＢの上手側には直線状のベルト１０からなる未封緘サンドイッチ搬送路Ａ終端が連結されている。すなわち、サンドイッチ包装袋ｍに収納され定置垂直面ｎ−１が開放された状態の未封緘サンドイッチｎを三角先鋭端を先頭にして載置し、ベルト１０によりターンテーブルＢ方向に搬送するように構成されている。
【００３２】
未封緘サンドイッチｎは直角三角形に形成されて三角先鋭端が先頭を向き定置垂直面ｎ−１が後方を向いた状態で進行する。従って、ターンテーブルＢに達した際には定置垂直面ｎ−１すなわち、包装袋の各折返し代ｍ１，ｍ２，ｍ３，ｍ４が開放された面がターンテーブルＢ外周縁方向を向いている。
【００３３】
図４に示すように、かかる未封緘サンドイッチ搬送路Ａの終端近傍には左右挟持板１１，１１’が配設されており、左右挟持板１１，１１’は未封緘サンドイッチｎの両側面を挟持し、その後拡開して未封緘サンドイッチｎをターンテーブルＢ上に残したまま退去作動する。
【００３４】
すなわち、左右挟持板１１，１１’はターンテーブルＢの取込み機構ａに設けられた左右区画板１，１’の間に未封緘サンドイッチｎを移し替えた後に退去作動する。
【００３５】
このように、未封緘サンドイッチ搬送路Ａの終端近傍の上方には、左右挟持板１１，１１’が配設されており、挟持板作動機構１２を介して左右摺動及び上下退去作動を行う。
【００３６】
具体的には、左右挟持板１１，１１の間隔は間隔制御装置Ｊにより所定の間隔を選択して決定することができるように構成されている。図５に示すように、左右挟持板１１，１１’は、挟持アーム１３,１３’を介して後述するギヤ群５１と連動連設しており、ベルト１０の進行にともない終端近傍で上方から未封緘サンドイッチｎを挟持し、予めターンテーブルＢの周縁で待ち構えた左右区画板１，１’間に進入し、その後、わずかに左右に拡開して未封緘サンドイッチｎの両側面から離れて左右区画板１，１’の間から離脱退去するように構成されている。
【００３７】
左右挟持板１１，１１’の挟持力を調整する左右間隔は、予め、例えば７５ｍｍ、８０ｍｍ、８５ｍｍのように、５ｍｍ間隔で数段階に調整可能に制御できるように構成している。
すなわち、間隔制御装置Ｊには上記のギヤ群５１を予め複数個の間隔に作動できるような制御機構が構成されており、そのうちの一つの間隔を操作パネル５４により選択操作するとその間隔に上記ギヤ群５１が制御作動される。
【００３８】
従って、封緘処理するサンドイッチの厚みを予め測定しておくことにより、正確に、すなわち、強すぎないで柔らかく挟持して左右挟持板１１，１１’から脱落せず、かつ、サンドイッチに強圧迫挟持による変形損傷を生起しない間隔での挟持力を選択し、自動的に左右挟持板１１，１１’の間隔調整ができるようにしている。
【００３９】
図５において、間隔制御装置Ｊは次のように構成されている。すなわち、５０は挟持板調整用のモータ、５１はモータ５０の出力軸に連動したギヤ群、５２はギヤ群５１のうち互いに反回転するギヤ軸であり、各ギヤ軸５２に螺合した雌ネジブラケット５３は摺動板５２’を介して左右挟持板１１，１１’に連設し、左右挟持板１１，１１’の左右間隔の調整を行う。５４は操作パネルであり、左右挟持板１１，１１’の間隔の選択をパネル上で行うことにより、挟持板調整用のモータ５０の回転数を制御してギヤ群５１に螺合した雌ネジブラケット５３の左右摺動距離を調整することにより、雌ネジブラケット５３と一体の左右挟持板１１，１１’の間隔を数段階に調整する。なお、雌ネジブラケット５３と一体の摺動板５２’は左右挟持板１１，１１’と横方向で係合し、進行方向で摺動可能に構成されている。
【００４０】
このように複数の設定間隔中より最適の間隔を選択可能にすることにより従来、バネ力で挟持板に挟持付勢を与える構造によりクランプ力が不正確でかつ力不足でクランプ中の脱落等の不都合が生起し、また、柔らかなサンドイッチの過度の圧迫による損傷が生起する等のおそれを解消することができる。
【００４１】
（２）周回封緘装置Ｍについて
図１、図３に示すように、周回封緘装置Ｍは、本発明のサンドイッチ包装袋の封緘装置Ｋにおける要部をなす部分であり、第１ステージＹ１において、未封緘サンドイッチ搬送路Ａの終端から受け継いだ未封緘のサンドイッチｎを第２、第３、第４ステージＹ２、Ｙ３，Ｙ４の周縁部に配設した取込み機構ａ、折畳み機構ｂ、封緘機構ｃ等により封緘処理して、未封緘サンドイッチｎを完全封緘すると共に、貼付紙Ｐによるシーリングを行い包装サンドイッチとしての商品に仕上げ完了し、第５ステージＹ５において押出し機構ｄによりターンテーブルＢ外に押出す。
【００４２】
周回封緘装置Ｍは、各ステージＹ１〜Ｙ５の周縁部に配設した各種機構ａ，ｂ，ｃ、より構成されており、それぞれは、図１に示すように、電動モータＴから動力伝達機構を介して未封緘のサンドイッチｎの封緘処理をするように構成されている。
【００４３】
まず、図２に示すように、ターンテーブルＢはその中心に配した回転基軸Ｂ’により間欠回動するように構成されており、間欠回動する毎に取込み機構ａ、折畳み機構ｂ、封緘機構ｃ、押出し機構ｄ等のそれぞれの機構が作動して後述する各種の封緘処理を行っていく。
【００４４】
そのために、各ステージを周回するターンテーブルＢの周縁部には、基本的機構として未封緘のサンドイッチｎを支持し各種処理機構の作動を受けるためのサンドイッチ支持基体フレームＳが各ステージ毎に設けられている。
【００４５】
すなわち、図４に示すように、第１のサンドイッチ支持基体フレームＳは、第１ステージＹ１に設けられた取込み機構ａの位置に停止して取込み処理を受けると、次いで第２ステージＹ２及び第３ステージＹ３に移動しで折畳む折畳み機構ｂの位置に変位して折畳み処理を受け、次いで第４ステージＹ４に移動しで封緘機構ｃの位置に変位し仕上げのための封緘処理を受け、最後に、ターンテーブルＢの回転により第５ステージＹ５に配設した押出し機構ｄにより封緘サンドイッチをターンテーブルＢ外方に押出す。
【００４６】
このように、第１のサンドイッチ支持基体フレームＳがターンテーブルＢの回動により順次変位して各封緘処理を受けていく間に、次の第２のサンドイッチ支持基体フレームＳが待期してワンテンポずつ、すなわち、ステージの一ステージずつ遅れて同じ封緘処理を受けていく。第２、第３・・・第８のサンドイッチ支持基体フレームＳも同様にターンテーブルＢの回転にともなって順次各ステージにおいて封緘処理を受けていく。
【００４７】
ここで、ターンテーブルＢの周縁部に設けられたサンドイッチ支持基体フレームＳの詳細について説明する。
【００４８】
図４、図１３から図１５に示すように、サンドイッチ支持基体フレームＳは、ターンテーブルＢの周縁に立設された一対の左右区画板１，１’と、その内部上方に配設された傾斜受板２１とよりなる。
【００４９】
左右区画板１，１’は、図１５に示すようにターンテーブルＢに形成された横孔２２を介して左右に移動自在に構成されており、サンドイッチの幅員に応じて間隔調整手段ｔを介して左右間隔を調整することができる。
【００５０】
また、傾斜受板２１の基部は、図１３及び１４に示すように、二本の調整アーム２３を介してターンテーブルＢの下方に重複して配設された調整円盤２４に進退自在に連動連設されている。
【００５１】
すなわち、調整アーム２３の基端は、調整円盤２４に切欠された半円弧状の切欠溝２５に遊嵌されている。
【００５２】
従って、調整円盤２４の回転調整により、調整アーム２３の基端が半円弧状の切欠溝２５に沿って変位し、調整アーム２３先端の傾斜受板２１を前後摺動させて、前後位置調整を可能する。
【００５３】
このように、サンドイッチの大きさ、すなわち、定置傾斜面の位置に対応した状態に傾斜受板２１をセットすることができる。
【００５４】
図４、図１３、図１４中、２６は、傾斜受板２１と一体に構成した受板フレームであり、傾斜受板２１の両側縁に配設した枠板２７とその下部に連設した略方形枠体とよりなり、二本の調整アーム２３先端は略方形枠体下部に一体に連設されている。２８はターンテーブルＢに穿設した受板フレーム２６の摺動孔を示す
【００５５】
（３）取込み機構ａについて
図３に示すように、取込み機構ａは、周回封緘装置Ｍの第１ステージＹ１に至る直前に未封緘サンドイッチｎの包装袋ｍを左右挟持板１１，１１’により挟持して第１のサンドイッチ支持基体フレームＳの左右区画板１，１’間にまで運び、その後、左右挟持板１１，１１’を弛緩してターンテーブルＢ上の左右区画板１，１’ に載置するように構成している。
【００５６】
すなわち、ターンテーブルＢは、回転連動機構を介して回転基軸Ｂ’を中心に間欠回動し、ターンテーブルＢの周縁部に運ばれた未封緘サンドイッチｎは左右区画板１，１’ 間定置されてその後の封緘作業を受けることになる。なお、左右区画板１，１’の間隔は間隔調整手段ｔによって調整可能であり取込むサンドイッチの厚みに対応して間隔が調整される。
【００５７】
図１５に示すように、間隔調整手段ｔは、ターンテーブルＢの回転基軸Ｂ’に設けた雄ネジ１６’に垂直方向に昇降作動する昇降ブラケット１７’を螺合し、昇降ブラケット１７’上端にブラケット１８’を介して連設した昇降プレート１８を昇降自在に構成し、かつ、枢支部２０を中心とした二又状の開閉アーム１９，１９’の開閉作動と昇降プレート１８の昇降作動とを連動すべく構成することにより、昇降プレート１８の昇降作動にともない二又状の開閉アーム１９，１９’は枢支部２０を中心に開拡、縮小するように構成している。
【００５８】
しかも、かかる開拡縮小作動を行う二又状の開閉アーム１９，１９’には、左右区画板１，１’の基端が連設されているため、電動モータに連動連設して雄ネジの回転制御することにより昇降プレート１８の昇降距離、ひいては開閉アーム１９，１９’の開拡縮小距離（幅）を調整制御し、左右区画板１，１’の間隔を調整することができるように構成されている。図１５中、１６は左右区画板１，１’の基端に挿貫したガイドロットであり、１７は枢支部２０に形成した長孔であり、枢支部２０のガタを調整する。
【００５９】
このように、サンドイッチの両側面に密着するように調整された左右区画板１，１’ はサンドイッチの固定枠体として機能して正確な区画を行うことによりその後の未封緘サンドイッチの封緘作業を正確に行う。
【００６０】
（４）折畳み機構ｂについて
図３に示すように、折畳み機構ｂは、上下方折畳み機構ｂ１と左右折畳み機構ｂ２とよりなり、第２、第３ステージＹ２，Ｙ３にそれぞれ配設されている。
【００６１】
図６に示すように、上下方折畳み機構ｂ１は、上方折畳みプレート３０の上昇作動によりサンドイッチ包装袋ｍの開口部ｎの下方折返し代ｍ２を上方に折畳むものであり、図７、図８に示すように、左右折畳み機構ｂ２は、左右シャッタプレート４７，４７’の閉塞作動により左右折返し代ｍ３，ｍ４を左右に折畳むものである。
【００６２】
ここで、第２ステージＹ２における上下方折畳み機構ｂ１の構造について説明する。
すなわち、装置底板３２上には各ステージＹ１〜Ｙ８にわたって周回した円環レール３３が支柱３４を介して固設されており、円環レール３３は、外周端面に凹状のガイド溝３５が形成されている。
【００６３】
図１６、図１７に示すように、円環レール３３には、折畳み機構ｂ中の８個の上下方折畳み機構ｂ１が装着されており、上下方折畳み機構ｂ１は円環レール３３のガイド溝３５に案内されて環状に周回するように構成されている。
【００６４】
円環部の一部は一定長さで切欠されており、切欠された円環部を昇降レール３６としており、昇降レール３６は、下方に連動連設したレール昇降機構３７により円環レール３３から上方に浮上可能に構成している。
【００６５】
図１８、図２０中、３８は、レール昇降機構３７を構成するために昇降レール３６下方に垂設した昇降ロッドであり、昇降ロッド３８の下端は、基端を機枠に枢支して中途部をカム機構６２に連動連設した昇降作動ロッド６１に枢支しており、昇降作動ロッド６１の枢支部６０を中心とした回動によりカム機構６２を介して昇降ロッド３８の昇降を行う。６０’は昇降作動ロッド６１下面に枢支部６０を介して連設したカムアームである。
【００６６】
図１９に示すように、浮上する昇降レール３６は、上下方折畳み機構ｂ１中の上方折畳みプレート３０を上昇させて折畳み作動をするように機能する。
【００６７】
しかも、円環レール３３は、昇降レール３６の下手側の円環部を緩慢な下り勾配に形成し最終的には昇降レール３６が降下した状態でのレベルと同一の高さになるように形成している。
【００６８】
すなわち、円環レール３３は、全体的に同一レベルの水平円環部を形成しているのではなく、一部は、切欠して昇降可能な昇降レール３６とし、その前後は同一の水平レベルとならず所定の高さを形成している。
【００６９】
具体的には、中途部に形成した昇降レール３６を基準にして、その下手側３６ａは昇降レール３６の降下した高さよりも高く構成し、昇降レール３６の上昇した高さと同一高さに構成しており、昇降レール３６上手側３６ｂは昇降レール３６の降下した高さと同一高さに構成している。従って、前述したように、昇降レール３６の下手側は、下り勾配のスロープレール３９を形成しており、上昇した昇降レール３６により上方折畳みプレート３０も上昇し上下方折畳み機構ｂ１はスロープレール３９に沿って自重により徐々にスロープを降下して昇降レール３６の上手側のレベルに達して、降下した昇降レール３６に受け渡される。
【００７０】
図６に示す上下方折畳み機構ｂ１は、サンドイッチ包装袋ｍの開口部の下方折返し代ｍ２を上方に折畳むために上方折畳みプレート３０を上昇作動させる。そのために、上下方折畳み機構ｂ１は、図１８に示すように、円環レール３３のガイド溝３５に遊嵌するガイド突部４０を先端に有した縦基板４１と、縦基板４１に枢支部４２を介して縦方向に枢支したプレート支持板４３と、プレート支持板４３の上端に縦方向に連設した上方折畳みプレート３０と、プレート支持板４３の下端に連設した外方付勢部４４とにより構成している。
【００７１】
図６中、４５は、スプリングであり、プレート支持板４３下端に延設した延設部４３´と縦基板４１下部との間に介設し、プレート支持板４３上部を枢支部４２を中心に内側方に付勢する。
【００７２】
上下方折畳み機構ｂ１のうちの上下折畳みプレート３０は、上記のように構成されて、円環レール３３中の一部の昇降レール３６の上昇にともないサンドイッチ包装袋ｍの下方折返し代ｍ２を上方に折畳むように作用する。
【００７３】
このような上方折畳みプレート３０の上昇作動による下方折返し代ｍ２の折曲工程は次の通りである。すなわち、図１８に示すように、ガイド突部４０が昇降レール３６に達した時点に調時してレール昇降機構３７により昇降レール３６が上昇するとプレート支持板４３も共に上昇して上方折畳みプレート３０により水平の下方折返し代ｍ２（図６参照）を上方に折り曲げる。
【００７４】
折畳み機構ｂの折畳み作動直前、すなわち、第２ステージＹ２における折畳み作動初期においては、サンドイッチ袋ｍの開口部を左右に押広げて上下方及び左右方の各折返し代ｍ１，ｍ２，ｍ３，ｍ４を折曲しやすい形態にするために、拡開ロッド４６をサンドイッチ袋ｍの開口部内に進入自在とし、折返し代を外方に突出しやすいようにしている。
【００７５】
すなわち、図６に示すように、サンドイッチ袋ｍの開口部内に左右二本の拡開ロッド４６，４６’が進入して左右方向に拡開作動するように構成している。
【００７６】
なお、拡開ロッド４６，４６’の進入方向は、未封緘サンドイッチｎの開口部の任意の位置、方向に進入するように構成することにより、袋開口部を的確に押拡できる。
【００７７】
図中、４５’は、拡開ロッド４６，４６’の作動機構であり、折畳み機構ｂ中の上下方折畳み機構ｂ１が作動する位置に配設されており、上下方折畳み機構ｂ１の上方折畳みプレート３０が上昇作動する前段階で袋開口部内に進入、開拡作動する。
【００７８】
次に、第３ステージＹ３に配設され各折返し代を折返す左右折畳み機構ｂ２について説明する。
【００７９】
図１８、図１９に示すように、上下方折畳み機構ｂ１の上下折畳みプレート３０が上昇して下方折返し代ｍ２を折曲するタイミング、すなわち、図８（ｂ）に示すように、昇降レール３６が上昇するタイミングに調時して左右折返し代ｍ３，４を折曲するために、サンドイッチ包装袋ｍの開口周縁部ｍ’の左右側方には左右シャッタプレート４７，４７’ が開閉自在に配設されている。
【００８０】
図７中、４８は、左右シャッタプレート４７，４７’を開閉作動するためのシャッタ機構である。
【００８１】
上記のように、上下方折畳み機構ｂ１と左右折畳み機構ｂ２は、下方折返し代ｍ２と左右折返し代ｍ３，４を折返すものであるが、上方折畳みプレート３０と左右シャッタプレート４７，４７’との間には、左右折目形成プレート４９，４９’が昇降及び拡開自在に介在されている。
【００８２】
そして、上下方折畳み機構ｂ１の上方折畳みプレート３０が上昇して下方折返し代ｍ２を上方に折返した後にその作動に調時して左右折目形成プレート４９，４９’は下方折返し代ｍ２の折返し表面をなぞって上昇し、左右に移動して開拡することによりその外側縁によって左右折返し代ｍ３，ｍ４に折り目線を設定する。
【００８３】
その後、左右折畳み機構ｂ２を作動することにより、図８に示すように、左右シャッタプレート４７，４７’ は、左右折目形成プレート４９，４９’外側縁を境に左右折返し代ｍ３、ｍ４を折返す。
【００８４】
折畳み機構ｂの上部には、袋の開口周縁部ｍ’の上方折返し代ｍ１基部に当接する突縁ｂ３が設けられており、突縁ｂ３は、昇降及び進退自在に構成されており、上方から降下して少しだけ前進することにより上方折返し代ｍ１の基部に密着して当接する。
【００８５】
また、突縁ｂ３の対向方向には、押圧熱シール体ｂ４が前後進退自在に設けられている。従って、袋の開口周縁部ｍ’の下方折返し代ｍ２及び左右折返し代ｍ３，ｍ４を上下方折畳み機構ｂ１及び左右折畳み機構ｂ２によって折曲した後に突縁ｂ３を上方返し代ｍ１の基部に当接した状態で、対向方向より進行する押圧熱シール体ｂ４により、折り返し代ｍ１及び左右折り返し代ｍ３，ｍ４の重複部分を押圧熱シールする。この状態では基部に突縁ｂ３を当接した上方折り返し代ｍ１だけは、まだ上方に立った状態であり、他の折り返し代と熱シールされておらず、第４ステージＹ４で折り返しシールされる。
【００８６】
この状態では、サンドイッチ包装袋ｍの開口周縁部ｍ’においては、袋の上下方折返し代ｍ１，ｍ２及び左右折返し代ｍ３，ｍ４を内方へ折曲して互いに重複した状態とし熱シールしてサンドイッチ包装袋ｍの封緘作業を完了する。
【００８７】
そして、図９から図１１に示すように、次工程の封緘機構ｃにおいて折返し代の重複中心部に貼付紙Ｐをシールし、サンドイッチ包装袋の封緘装置Ｋによるサンドイッチ封緘作業が完了することになる。
【００８８】
上記した折畳み機構ｂ及び押圧熱シール体ｂ４等は、折畳みユニット体Ｖに構成されており、一体として昇降位置調整が可能に構成されている。
【００８９】
すなわち、折畳みユニット体Ｖは、左右のガイドフレーム３に案内されて昇降し、サンドイッチの大きさに応じて折畳みの位置、押圧熱シールの位置等を上下調整することができるように構成されている。
【００９０】
図７に示すように、折畳みユニット体Ｖの中心部には縦螺杆４が螺合されており、縦螺杆４の上端は、ベベルギア５を介して調整ハンドル５’に連動連設されている。
【００９１】
調整ハンドル５’は、第１ステージＹ１の近傍のフレーム上方に配設されており、第１ステージＹ１の近傍位置から調整ハンドル５’を操作することにより折畳みユニット体Ｖの上下位置を調整可能としている。
【００９２】
折畳み機構ｂは、上記のように構成されており、折畳み作動が終了した後には次工程の第４ステージＹ４に移動する。
【００９３】
ここでは、折畳み作動を行った上方折畳みプレート３０や左右シャッタプレート４７，４７’をもとの位置に復帰させる。この復帰作業は、ターンテーブルＢの上面領域外方に折畳み機構ｂを収納することにより貼付紙Ｐによる最終封緘作業と干渉しないようにするためのものである。なお、第４ステージＹ４では、前ステージＹ３で立ち上がった状態の上方折り返し代ｍ１を下方に折曲するための押圧屈曲フレーム５５が昇降自在に設けられており、図９、図１１に示すように立ち上がった状態の上方折り返し代ｍ１は押圧屈曲フレーム５５の直角部で押し下げて下方に折曲され、他の折り返し代を垂設した状態となって貼付紙Ｐ荷より固定される。５６は押圧屈曲フレーム５５の操作アームを示す。
【００９４】
（５）封緘機構ｃについて
ターンテーブルＢの回転により、サンドイッチ支持基体フレームＳが段階的に周回しながら未封緘サンドイッチｎを受け取った後は、袋の開口周縁部ｍ’に形成された各折返し代ｍ１，ｍ２，ｍ３，ｍ４を折畳み機構ｂにより折曲げて熱シールし、その後、第４ステージＹ４において封緘機構ｃによりサンドイッチの定置垂直面ｎ−１に所定事項を印刷された貼付紙Ｐを貼付して、最終の封緘作業が終了する。
【００９５】
このように、封緘機構ｃは、第４ステージＹ４において貼付紙Ｐを各折返し代ｍ１，ｍ２，ｍ３，ｍ４の重複部分に貼付するように機能する。
【００９６】
また、上記のように、第４ステージＹ４においては貼付紙Ｐを貼付するものであるが、この際に、各折返し代ｍ１，ｍ２，ｍ３，ｍ４の重複部分に貼付紙Ｐが正確に密着して貼着されるように、左右押圧プレート６，６’を昇降自在に設けている。
【００９７】
図９に示すように、左右押圧プレート６、６’は、矩形状の二股のプレートよりなり、上昇した後に各折返し代ｍ１，ｍ２，ｍ３，ｍ４の重複部分を密着状態で押さえて二股のプレート間において各折返し代ｍ１，ｍ２，ｍ３，ｍ４の重複部分に貼付紙Ｐを貼付できるように構成している。また、封緘機構ｃは、図中に示すように、サンドイッチの大きさに応じて高さ位置の調整が可能に構成されている。すなわち、左右押圧プレート６，６’や貼付紙Ｐの封緘機構ｃ等より構成した封緘ユニット体Ｖ’の昇降機構は、外枠フレーム７０に設けた縦螺杆７１と縦螺杆７１にブラケット７２を介して一体としたユニットケース７３と縦螺杆７１の一端にベベルギヤ７４を介して連動連設した操作ハンドル７５とより構成している。
【００９８】
（６）押出し機構ｄについて
第５ステージＹ５には、押出し機構ｄが配設されている。
ターンテーブルＢ上のサンドイッチ支持基体フレームＳ中には、封緘作業が完了したサンドイッチが定置されており、押出し機構ｄは、サンドイッチ支持基体フレームＳから封緘完了のサンドイッチをターンテーブルＢ外に押出すように構成されている。
【００９９】
すなわち、図１２に示すように、押出し機構ｄは、前後に進退自在のステー６３と、ステー６３の先端に連接した斜めの押出し体６４とよりなり、押出し体６４は、直角三角形のサンドイッチの傾斜面に当接するように斜めに形成されている。図中、６５はステー６３を作動するためのアクチュエータである。６６はアクチュエータ６５に連動連設した作動カム機構であり、６７は作動カム機構６６とアクチュエータ６５との間を介設したＬ字レバーを示す。
【０１００】
（７）第６、第７、第８の各ステージＹ６，Ｙ７，Ｙ８について
上記したように、第１ステージＹ１から第５ステージＹ５までにおいて、未封緘サンドイッチｎを封緘し、枠外に押出すことにより、サンドイッチ包装袋の封緘装置Ｋにおける機能は完了する。
【０１０１】
従って、その下手側に配置した第６、第７、第８の各ステージＹ６，Ｙ７、Ｙ８においては、何らの封緘作業も行わない。
【０１０２】
すなわち、８等分した各ステージの作動タイミングを調整するための空作動ステージである。
【０１０３】
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【０１０４】
Ｋ  サンドイッチ包装袋の封緘装置
ｍ  サンドイッチ包装袋
ｍ’  開口周縁部
ｍ１  上方折返し代
ｍ２  下方折返し代
ｍ３、４  左右折返し代
ｎ  未封緘サンドイッチ
ｎ−１  定置垂直面
Ａ  未封緘サンドイッチ搬送路
１０  ベルト
１１，１１’  左右挟持板
５０  モータ
５１  ギヤ群
５２  ギヤ軸
５３  雄ネジブラケット
５４  操作パネル
１２  挟持板作動機構
１３，１３’  挟持アーム
１４  挟持リンク機構
Ｂ  ターンテーブル
Ｂ’  回転基軸
Ｍ  周回封緘装置
Ｔ  電動モータ
ｔ  間隔調整手段
Ｊ  間隔制御装置
１５  回転連動機構
１６  雄ネジ
１７  昇降ブラケット
１８  昇降円盤
１９  開閉アーム
２０  枢支部
Ｙ１〜Ｙ８  第１ステージ〜第８ステージ
ａ  取込み機構
Ｓ  サンドイッチ支持基体フレーム
１，１’   左右区画板
２１  傾斜受板
２２  横孔
２３  調整アーム
２４  調整円盤
２５  切欠溝
２６  受板フレーム
２７  仕切板
２８  略方形の枠体
ｂ  折畳み機構
３０  上方折畳みプレート
３１  左右折畳みプレート
３２  装置底板
３３  円環レール
３４  支柱
３５  ガイド溝
３６  昇降レール
３７  レール昇降機構
３８  昇降ロッド
３９  スロープレール
４０  ガイド突部
４１  縦基板
４２  枢支部
４３  プレート支持板
４３´延設部
４４  外方付勢部
４５  スプリング
４６、４６’  拡開ロッド
４７，４７’   左右シャッタプレート
４８  シャッタ機構
４９、４９’  折目形成プレート
６０  枢支部
６１  昇降作動ロッド
６２  カム機構
ｂ１  上下方折畳み機構
ｂ２  左右折畳み機構
ｂ３  突縁
ｂ４  押圧熱シール体
Ｖ  折畳みユニット体
３  ガイドフレーム
４  縦螺杆
５  ベベルギア
５’  調整ハンドル
４７，４７’     左右シャッタプレート
ｃ  封緘機構
６、６’左右押圧プレート
Ｐ  貼付紙
ｄ  押出し機構
６３  ステー
６４  押出し体
６５  アクチュエータ
【図１】
2015224057.tif 000003
【図２】
2015224057.tif 000004
【図３】
2015224057.tif 000005
【図４】
2015224057.tif 000006
【図５】
2015224057.tif 000007
【図６】
2015224057.tif 000008
【図７】
2015224057.tif 000009
【図８】
2015224057.tif 000010
【図９】
2015224057.tif 000011
【図１０】
2015224057.tif 000012
【図１１】
2015224057.tif 000013
【図１２】
2015224057.tif 000014
【図１３】
2015224057.tif 000015
【図１４】
2015224057.tif 000016
【図１５】
2015224057.tif 000017
【図１６】
2015224057.tif 000018
【図１７】
2015224057.tif 000019
【図１８】
2015224057.tif 000020
【図１９】
2015224057.tif 000021
【図２０】
2015224057.tif 000022